【事件の表示】
　特許第６１９６４９１号発明「組み替え式天体望遠鏡の回転軸ユニットおよび組み替え式天体望遠鏡」の特許異議申立事件について、次のとおり決定する。
【結　論】
　特許第６１９６４９１号の請求項１ないし５に係る特許を維持する。
【理　由】
第１．手続の経緯
　特許第６１９６４９１号の請求項１〜５に係る特許についての出願は、平成２５年７月３１日に特許出願され、平成２９年８月２５日にその特許権の設定登録がされ、その後、その特許について、特許異議申立人林誠一により特許異議の申立てがされたものである。
第２．本件特許発明
　本件特許の請求項１〜５に係る発明は、特許請求の範囲の請求項１〜５に記載された次のとおりのものである（以下それぞれ「本件特許発明１」〜「本件特許発明５」という。）。 
「【請求項１】
　軸受けハウジング（５）と、内蔵した動力機構により軸受けハウジング（５）に軸支されるとともに、上端面が軸受けハウジングの天面から露出する回転軸体（１）からなり、上記回転軸体（１）を中空部（１４）を有する筒状とするとともに、軸受けハウジング（５）の底面および端面に中空部（１４）と連通する貫通穴（１６、１０）を設け、軸受けハウジング（５）の天面から露出する回転軸体（１）の端面、軸受けハウジングの底面および端面を天体望遠鏡を構成する光学部材または支持部材の取り付け面とするとともに、そのための固定手段（ｔ１、ｔ２、ｔ３）を設けたことを特徴とする組み替え式天体望遠鏡の回転軸ユニット。
【請求項２】
　軸受けハウジング（５）と、内蔵した動力機構により軸受けハウジング（５）に軸支されるとともに、上端面が軸受けハウジングの天面から露出する回転軸体（１）からなり、上記回転軸体（１）を中空部（１４）を有する筒状とするとともに、軸受けハウジング（５）の底面および端面に中空部（１４）と連通する貫通穴（１６、１０）を設け、軸受けハウジング（５）の天面から露出する回転軸体（１）の端面、軸受けハウジングの底面および端面を天体望遠鏡を構成する光学部材または支持部材の取り付け面とするとともに、そのための固定手段（ｔ１、ｔ２、ｔ３）を設けた２つの回転軸ユニット（Ｘ、Ｙ）により各部材を観測目的に合わせた形式に連結可能としたことを特徴とする組み替え式天体望遠鏡。
【請求項３】
　偏平状の本体の一面に一方の回転軸ユニット（Ｘ）の天面から露出する回転軸体（１）の端面を固定可能とするとともに、他面に他方の回転軸ユニット（Ｙ）の端面を固定可能とすることにより、２つの回転軸ユニット（Ｘ、Ｙ）同士を互いの回転軸体（１）が直交するよう連結するためのマルチプレート（１７）を支持部材として用意した請求項２記載の組み替え式天体望遠鏡。
【請求項４】
　回転軸体（１）の中空部（１４）を通線路および導光管として利用した請求項２または３記載の組み替え式天体望遠鏡。
【請求項５】
　回転軸ユニット（Ｘ、Ｙ）を防水構造にした請求項４記載の組み替え式天体望遠鏡。」
第３．申立理由の概要
　特許異議申立人林誠一は、証拠として、実開昭６０−１９３５７３号（以下、実願昭５９−８１９７８号（実開昭６０−１９３５７３号）のマイクロフィルムを、「甲第１号証」という。）、「月刊星ナビ２０１１年１０月号」、２０１１年９月５日発行、第１６〜２１頁（以下、「甲第２号証」という。）、特開平７−１０８４８５号公報（以下、「甲第３号証」という。）、実公昭５４−４３７３２号公報（以下、「甲第４号証」という。）、特開平１０−１６４４００号公報（以下、「甲第５号証」という。）及び特開平６−３４７６７７号公報（以下、「甲第６号証」という。）を提出して、以下のとおり、請求項１〜５に係る特許を取り消すべきものである旨主張している。
　甲第１号証ないし甲第３号証により、請求項１〜２に係る特許は、特許法第２９条第２項の規定に違反してされたものである。
　甲第１号証ないし甲第４号証により、請求項３に係る特許は、特許法第２９条第２項の規定に違反してされたものである。
　甲第１号証ないし甲第５号証により、請求項４に係る特許は、特許法第２９条第２項の規定に違反してされたものである。
　甲第１号証ないし甲第６号証により、請求項５に係る特許は、特許法第２９条第２項の規定に違反してされたものである。
第４．甲各号証の記載
１．甲第１号証
　甲第１号証には、次の事項が記載されている。（下線は当審で付した。以下同じ。）
「（イ）産業上の利用分野
　この考案は
赤道儀架台
　より詳細に述べれば、赤道儀架台の天体観測器具取付台に補助軸を取付けることにより、望遠鏡と写真鏡の併設を可能とし、更に赤緯軸の代用として極軸に取付け可能にし、バランスウエートを必要としない補助軸の構成に係るものである。」（明細書第１頁第１４行〜第２頁第３行）
「
架台（１）上には極軸（Ａ）の外筒（Ａ１）の取付台（Ｓ１）がネジ止めにより取付けられ、外筒（Ａ１）には取付台（Ｓ２）を設けた極軸（Ａ）が回転自在に嵌挿される。
「
極軸（Ａ）の取付台（Ｓ２）には赤緯軸（Ｂ）の外筒（Ｂ１）の中途に設けた取付台（Ｓ３）が夫々取付孔を一致してネジ止めされ、極軸に対し赤緯軸を直交する角度に取付けられる。
　
赤緯軸（Ｂ）は一端に取付台（Ｓ４）を取付けた筒軸よりなり、上記外筒（Ｂｌ）に回転自在に軸挿される。
ウオームとウオームホイールの組合せよりなる微動装置により回転させてもよい。
　
赤緯軸（Ｂ）の取付台（Ｓ４）には望遠鏡または写真鏡（Ｋ）が取付けられ、反対側にはバランスウエート（Ｗ）が取付けられ、
「
また補助軸（Ｃ）の中央部一側には極軸（Ａ）の取付台（Ｓ２）と赤緯軸（Ｂ）の取付台（Ｓ４）に合致する取付台（Ｓ６）が設けられて補助軸（Ｃ）は構成される。
「（ヘ）作用
　
上記赤道儀架台と補助軸を組合せ使用する方法は二通りあり、一つの方法は
赤緯軸（Ｂ）の取付台（Ｓ４）上に補助軸（Ｃ）の取付台（Ｓ６）を重ね、夫々の取付孔を一致してネジ止めし、補助軸（Ｃ）の一方の取付台（Ｓ５）には、ガイド望遠鏡（Ｐ）を、他方の取付台（Ｓ５）には写真鏡（Ｋ）を取付けて使用する。
　
他の使用方法は
補助軸（Ｃ）を赤緯軸（Ｂ）の代用として使用するものであり、極軸（Ａ）より赤緯軸（Ｂ）を外し、補助軸（Ｃ）の取付台（Ｓ６）を極軸（Ａ）の取付台（Ｓ２）に合せ、夫々の取付孔を一致してネジ止めし、補助軸（Ｃ）の両端の取付台（Ｓ５）に夫々写真鏡（Ｋ）を併設する。
　上記の記載を総合すると、甲第１号証には、次の発明（以下、「引用発明１」という。）が記載されているものと認められる。
「架台（１）上には極軸（Ａ）の外筒（Ａ１）の取付台（Ｓ１）がネジ止めにより取付けられ、外筒（Ａ１）には取付台（Ｓ２）を設けた極軸（Ａ）が回転自在に嵌挿され、
　極軸（Ａ）の取付台（Ｓ２）には赤緯軸（Ｂ）の外筒（Ｂ１）の中途に設けた取付台（Ｓ３）が夫々取付孔を一致してネジ止めされ、極軸に対し赤緯軸を直交する角度に取付け、
  赤緯軸（Ｂ）は一端に取付台（Ｓ４）を取付けた筒軸よりなり、上記外筒（Ｂｌ）に回転自在に軸挿され、ウオームとウオームホイールの組合せよりなる微動装置により回転させてもよく、
　赤緯軸（Ｂ）の取付台（Ｓ４）には望遠鏡または写真鏡（Ｋ）が取付けられ、反対側にはバランスウエート（Ｗ）が取付けられ、
　また補助軸（Ｃ）の中央部一側には極軸（Ａ）の取付台（Ｓ２）と赤緯軸（Ｂ）の取付台（Ｓ４）に合致する取付台（Ｓ６）が設けられて補助軸（Ｃ）は構成され、
　赤道儀架台と補助軸を組合せ使用する方法は二通りあり、一つの方法は、赤緯軸（Ｂ）の取付台（Ｓ４）上に補助軸（Ｃ）の取付台（Ｓ６）を重ね、夫々の取付孔を一致してネジ止めし、補助軸（Ｃ）の一方の取付台（Ｓ５）には、ガイド望遠鏡（Ｐ）を、他方の取付台（Ｓ５）には写真鏡（Ｋ）を取付けて使用するものであり、他の使用方法は、補助軸（Ｃ）を赤緯軸（Ｂ）の代用として使用するものであり、極軸（Ａ）より赤緯軸（Ｂ）を外し、補助軸（Ｃ）の取付台（Ｓ６）を極軸（Ａ）の取付台（Ｓ２）に合せ、夫々の取付孔を一致してネジ止めし、補助軸（Ｃ）の両端の取付台（Ｓ５）に夫々写真鏡（Ｋ）を併設する、
　天体望遠鏡の赤道儀架台。」
２．甲第２号証
　甲第２号証には、次の事項が記載されている。
「ＰＭ１の基本的なスタイルは、
ドイツ式赤道儀
　また、
移動を前提とした赤道儀に必須の機構である極軸望遠鏡の内蔵はもちろんのこと、極軸にはステッピングモーターを採用したモータードライブを内蔵している。
　Ｐシリーズが、最終モデルのＰ−２Ｚに至るまで極軸のモータードライブを外付け式とし、さらに赤緯微動がスプリングスクリュー式の部分微動だったことを考えると、モータードライブ内蔵は大きな改善点であり、赤緯軸にウォームホイルの全周微動が採用されたことで、将来的に両軸モーター駆動も期待できる。
　こうした現代風の機能を盛り込まれたＰＭ−１だが、赤道儀の各部がユニット化されていて、かなり細かい部分まで分割が可能になっていることが大きな特徴である。」（第１６頁右下欄第３行〜第１７頁中央欄第３行）
「ところで、タカハシのポータブル赤道儀としては、１９８０年代にスペースボーイという機種が販売されていた。スペースボーイは赤緯軸（赤緯微動ユニット）がはずせたり、極軸部分のみをカメラ三脚に搭載することなどが可能だった。ＰＭ−１では、さらに高度なシステム化が進められ、赤道儀発売開始と同時にオプションパーツが多数用意され、
ユーザーの使用目的に合わせた架台へと「変化」させることが可能
一般的なドイツ式赤道儀のみならず、オプションパーツの組み合わせによってフォーク式赤道儀や経緯台として使用することができ
「ＰＭ−１のコアである
極軸ユニット
ウォームギアとステッピングモーターを収めた部分が四角く張り出した形状だ。
「
モーター
動力をウォームギアに伝えている
「
赤緯体は、４本のＭ４ねじで極軸ユニットに固定される。
　また、第１７頁左上写真、同頁右写真、第２０頁中央のモーターに関する写真、第２１頁中央写真から、
「極軸ユニット」は、赤緯体等のパーツを固定するための回転する軸の部分を有し、その回転する軸の部分は、ウォームギアとステッピングモーターを収めた部分を含むハウジングに軸支され、ハウジングの天面から露出している
その回転する軸の部分は、
ステッピングモータの動力ウォームギアに伝えることで回転する
　また、
極軸望遠鏡を内蔵することから、回転する軸の部分は中空部を有する筒状であること、及び、ハウジングの底面には貫通穴が設けられており、その貫通穴は回転する軸の部分にある中空部と連通している
  上記の記載を総合すると、甲第２号証には、次の発明（以下、「引用発明２」という。）が記載されているものと認められる。
「極軸ユニットは、ハウジングを有し、赤緯体等のパーツを固定するための回転する軸の部分を有し、その回転する軸の部分はハウジングに軸支され、ハウジングの天面から露出しており、また、極軸望遠鏡を内蔵することから、回転する軸の部分は中空部を有する筒状であり、ハウジングの底面には貫通穴が設けられており、その貫通穴は回転する軸の部分にある中空部と連通しており、
　極軸ユニットはステッピングモーターを採用したモータードライブを内蔵し、ウォームギアとステッピングモーターがハウジングに収められており、モーターは動力をウォームギアに伝えることで回転する軸の部分が回転し、
　赤緯体は、４本のＭ４ねじで極軸ユニットに固定され、
　一般的なドイツ式赤道儀のみならず、オプションパーツの組み合わせによってフォーク式赤道儀や経緯台として使用することができる、ユーザーの使用目的に合わせて変化させることが可能な架台を有したドイツ式赤道儀。」
３．甲第３号証
　甲第３号証には、次の事項が記載されている。
「【０００１】
【産業上の利用分野】本発明は、産業用ロボットの旋回胴、腕関節や工作機械等の産業用機械における
回転軸部等の回転関節
「【００１０】
【実施例】以下、本発明を添付図面に示す実施例に基づいて更に詳細に説明する。図１は、本発明の１実施例に係る回転関節として産業用ロボットの基台と旋回胴との間に設けた回転関節の構成を示した断面図である。同図１において、産業用ロボット１０の
固定ベース１２
ユティリティ領域を形成する空間１４を備えた筒体構造要素として形成され、上部には、皿板状の天井基板１２ａを有している。
回転要素を成すロボット旋回胴３０
【００１１】上記の減速機２０は、中心部に比較的径が大きな貫通孔２２が形成され、本実施例では、この貫通孔２２内には同貫通孔２２をケーブル挿通路として区画、形成する筒体状の中空スリーブ要素３６がその底部フランジ３６ａにより固定ベース１２の天井基板１２ａにねじ止めにより止着されている。
ロボット旋回胴３０の中心部にもユティリティ領域３８が形成され、上記の貫通路２２は、固定ベース１２のユティリティ領域１４とロボット旋回胴３０のユティリティ領域３８とを連通するユティリティ領域に形成され
【００１２】ここで、上記ケーブル類４０は
固定ベース１２の一部に形成された入力ポート１２ｂ
　また、甲第３号証の図１を参照すると、
「入力ポート１２ｂ」が「固定ベース」の端面に設けられている
「ユティリティ領域３８」と「入力ポート１２ｂ」とが連通している
　上記の記載を総合すると、甲第３号証には、次の発明（以下、「引用発明３」という。）が記載されているものと認められる。
「固定ベース１２はユティリティ領域を形成する空間１４を備えた筒体構造要素として形成され、上部には、皿板状の天井基板１２ａを有し、
　固定ベース１２の端面に入力ポート１２ｂが形成され、
　回転要素を成すロボット旋回胴３０を有し、
　ロボット旋回胴３０の中心部にユティリティ領域３８が形成され、貫通路２２が、固定ベース１２のユティリティ領域１４とロボット旋回胴３０のユティリティ領域３８とを連通するユティリティ領域に形成され、
　ユティリティ領域３８と入力ポート１２ｂとが連通している、
　回転軸部等の回転関節。」　
４．甲第４号証
　甲第４号証には、次の事項が記載されている。
「この考案は
赤道儀架台
「
極軸５と外筒５′は廻転自在に軸止されてあり、極軸５の外筒５′にはウォーム８が、極軸５にはウォームホイール８′が夫々取付けられ、
　
極軸５には台座Ｂが固定されてあり、この台座Ｂには所定間隔位置の貫通孔に夫々ネジ杆ｂが貫挿されてあり
　
上記台座Ｂには赤緯軸９の外筒９′の周側に設けたネジ孔１０にネジ杆ｂを螺挿して台座Ｂに赤緯軸外筒９′を締付けるようにしてあり
　赤緯軸９と極軸５は直交する角度に取付けられる。赤緯軸９には台座Ｃが固定されてあり、この台座の所定間隔位置に穿設した貫通孔にネジ杆ｃが夫々貫挿されてあり、このネジ杆ｃに合致した天体観測器具１２にはネジ孔１３が設けられ、両者を螺合螺脱して赤緯軸に天体観測器具１２が自由に装脱し又、交換されるものである。」（第１頁右欄第２７行〜第２頁第１２行）
　上記の記載を総合すると、甲第４号証には、次の発明（以下、「引用発明４」という。）が記載されているものと認められる。
「極軸５と外筒５′は廻転自在に軸止されてあり、極軸５の外筒５′にはウォーム８が、極軸５にはウォームホイール８′が夫々取付けられ、
　極軸５には台座Ｂが固定されてあり、この台座Ｂには所定間隔位置の貫通孔に夫々ネジ杆ｂが貫挿されてあり、
  上記台座Ｂには赤緯軸９の外筒９′の周側に設けたネジ孔１０にネジ杆ｂを螺挿して台座Ｂに赤緯軸外筒９′を締付けるようにした、
　赤道儀架台。」
５．甲第５号証
　甲第５号証には、次の事項が記載されている。
「【０００１】
【発明の属する技術分野】本発明は、
ビデオカメラ等の撮像装置を支持し
雲台装置
「【００１３】
ビデオカメラ１００と外部との通信は、通信ケーブル５で行なわれる。
雲台装置１とビデオカメラ１００との通信は、通信ケーブル６で行なわれる。
「【００３１】図１８〜図２２は、通信ケーブル５及び通信ケーブル６のケーブル引き回し構造を示している。ところで、この種のケーブルにおいては電波障害に対する安全を考慮するとシールドケーブル及びその対策を施したプラグを使用する必要がある。また、耐久性を考慮するとケーブルの屈折率を大きくしておく必要がある。本発明ではこれらの課題を有効に実現する構成となっている。
【００３２】図２１等に示されるように、特に電波障害については
雲台ユニット内部を通って通信ケーブル５，６をビデオカメラ１００に接続する
【００３３】図示のようにこの内部空間２ｃに沿って通信ケーブル５，６を無理に曲げることなく、Ｒ状に配置することでチルト部の耐久性を向上することができる。またこれに伴い、雲台２の外壁部２ｄもＲ状に成形することができる結果、チルティング作動時アッパカバー１２との隙間を均一化し、優れた外観見栄えを保証することができる。」
　上記の記載を総合すると、甲第５号証には、次の発明（以下、「引用発明５」という。）が記載されているものと認められる。
「ビデオカメラ１００と外部との通信を行う通信ケーブル５、及び、雲台装置１とビデオカメラ１００との通信を行う通信ケーブル６とが、雲台ユニット内部を通ってビデオカメラ１００に接続するようにした、
　ビデオカメラ等の撮像装置を支持する雲台装置。」
６．甲第６号証
　甲第６号証には、次の事項が記載されている。
「【０００１】
【産業上の利用分野】本発明は、望遠鏡、特に測量機等のように屋外で使用される機器に適した
望遠鏡の合焦機構における密封構造
「【００１１】次に動作について説明する。合焦環１２を回転すると、ヘリコイド環７がギャー部材１９を介して回転する。回転は内歯ギャー１２ａと螺合しているギャー１９ｂ及びギャー１９ａと螺合しているギャー７ａを介して伝達される。ヘリコイド環７が回転すると、螺旋溝８に嵌合しているピン５が直進案内溝６に従って光軸方向に直進し、合焦レンズ支持筒４は合焦位置まで光軸方向に移動し、望遠鏡は合焦する。
【００１２】次に、固定円筒２の合焦機構部分の円筒外側に付着する水の本体内への侵入が阻止されることについて説明する。
固定円筒２とカバー１５の当接部では、固定円筒２の壁部９とカバー１５の前端部１５ａとの間にＯリング１７が取り付けてあるので水は侵入できない。カバー１５とポロプリズム支持枠１０の当接部では、カバー１５の後端部１５ｂとポロプリズム支持枠１０との間にパッキング１８が取り付けてあるので水は侵入できない。合焦環１２とポロプリズム支持枠１０の当接部からは、ギヤー１９ｂが収納された空間まで水の侵入を許すことになるが、ギャー部材１９と、ポロプリズム支持枠１０に穿設された貫通孔とのあいだの油溜り２０によってそれより先の本体内への水の侵入は阻止される。
【００１３】このようにして、
固定円筒２の合焦機構部分の円筒回り外側に付着する水が侵入して、ヘリコイド環７を濡らすことはなく、まして螺旋溝８、案内溝６、ピン５を介して合焦レンズ支持筒４周辺に到達することはない。
　上記の記載を総合すると、甲第６号証には、次の発明（以下、「引用発明６」という。）が記載されているものと認められる。
「固定円筒２とカバー１５の当接部では、固定円筒２の壁部９とカバー１５の前端部１５ａとの間にＯリング１７を取り付けて水が侵入しないようにし、
　カバー１５とポロプリズム支持枠１０の当接部では、カバー１５の後端部１５ｂとポロプリズム支持枠１０との間にパッキング１８を取り付けて水が侵入しないようにし、
　合焦環１２とポロプリズム支持枠１０の当接部からは、ギヤー１９ｂが収納された空間まで水の侵入を許すことになるが、ギャー部材１９と、ポロプリズム支持枠１０に穿設された貫通孔とのあいだの油溜り２０によってそれより先の本体内への水の侵入を阻止し、
　固定円筒２の合焦機構部分の円筒回り外側に付着する水が侵入して、ヘリコイド環７を濡らすことはなく、螺旋溝８、案内溝６、ピン５を介して合焦レンズ支持筒４周辺に到達することもない、
　望遠鏡の合焦機構における密封構造。」
第５．判断
１． 本件特許発明１について
（１）対比
　本件特許発明１と引用発明１とを対比する。
　後者において、「赤緯軸（Ｂ）」は「外筒（Ｂｌ）に回転自在に軸挿され」るから、当該「外筒」における「赤緯軸」が軸挿される部分は、軸受けとなっているといえ、後者の「外筒」と、前者の「軸受けハウジング（５）」とは、「軸受けを有する部材」との概念で共通する。
　また、後者において、「赤緯軸（Ｂ）は一端に取付台（Ｓ４）を取付けた筒軸よりなり、上記外筒（Ｂｌ）に回転自在に軸挿され」るものであり、「筒」とは、「円く細長くて中空になっているもの。」（株式会社岩波書店 広辞苑第六版）という意味であるから、「赤緯軸（Ｂ）」は、中空部を有する筒状であり、軸受けを有する部材（「外筒」）に軸支された「回転軸体」であるといえる。また、後者は、「赤緯軸（Ｂ）の取付台（Ｓ４）には望遠鏡または写真鏡（Ｋ）が取付けられ」、または、「赤緯軸（Ｂ）の取付台（Ｓ４）上に補助軸（Ｃ）の取付台（Ｓ６）を重ね、夫々の取付孔を一致してネジ止め」することから、後者の「取付台（Ｓ４）」は、前者の「支持部材」に相当するといえる。
　また、後者において、赤緯軸の端面は、取付台（Ｓ４）の取付け面になっているといえ、また、その固定手段を有していることは自明である。
　また、後者は、「赤道儀架台と補助軸を組合せ使用する方法は二通りあり、一つの方法は、赤緯軸（Ｂ）の取付台（Ｓ４）上に補助軸（Ｃ）の取付台（Ｓ６）を重ね、夫々の取付孔を一致してネジ止めし、補助軸（Ｃ）の一方の取付台（Ｓ５）には、ガイド望遠鏡（Ｐ）を、他方の取付台（Ｓ５）には写真鏡（Ｋ）を取付けて使用するものであり、他の方法は、補助軸（Ｃ）を赤緯軸（Ｂ）の代用として使用するものであり、極軸（Ａ）より赤緯軸（Ｂ）を外し、補助軸（Ｃ）の取付台（Ｓ６）を極軸（Ａ）の取付台（Ｓ２）に合せ、夫々の取付孔を一致してネジ止めし、補助軸（Ｃ）の両端の取付台（Ｓ５）に夫々写真鏡（Ｋ）を併設するものである、天体望遠鏡の赤道儀架台」であることから、後者の「天体望遠鏡」は、前者と同様、「組み替え式」であるといえる。
　
　また、後者において、「赤緯軸（Ｂ）」が「上記外筒（Ｂｌ）に回転自在に軸挿され」、「反対側にはバランスウエート（Ｗ）が取付けられ」たものは、赤緯軸（Ｂ）が外筒（Ｂｌ）に対して回転自在であることから、前者と同様、「回転軸ユニット」であるといえる。
　したがって、両者の間には、次の一致点、相違点がある。
（一致点）
「軸受けを有する部材と、軸受けを有する部材に軸支される回転軸体からなり、上記回転軸体を中空部を有する筒状とするとともに、回転軸体の端面の端面を支持部材の取り付け面とするとともに、そのための固定手段を設けた、組み替え式天体望遠鏡の回転軸ユニット。」
（相違点）
（相違点１）
　「軸受けを有する部材」が、本件特許発明１では「軸受けハウジング（５）」であるのに対し、引用発明１では「外筒」であり、「軸受けハウジング」とはいえない点。
（相違点２）
　本件特許発明１では、「回転軸体（１）」が、「内蔵した動力機構により軸受けハウジング（５）に軸支される」ものであるのに対し、引用発明１では、「赤緯軸（Ｂ）」が「外筒（Ｂｌ）に回転自在に軸挿され、ウオームとウオームホイールの組合せよりなる微動装置により回転」されるものであり、当該「ウオームとウオームホイールの組合せよりなる微動装置」が、内蔵した動力機構といえるのか不明であり、また、「軸受けハウジング」を有しておらず、赤緯軸（Ｂ）が、内蔵した動力機構により軸受けハウジングに軸支されているとはいえない点。
（相違点３）
　本件特許発明１では、「上端面が軸受けハウジングの天面から露出する回転軸体」及び「軸受けハウジング（５）の天面から露出する回転軸体（１）」とあるのに対し、引用発明１では、「外筒」は天面を有しておらず、赤緯軸（Ｂ）あるいはその上端面は、軸受けハウジングの天面から露出しているとはいえない点。
（相違点４）
　本件特許発明１は、「軸受けハウジング（５）の底面および端面に中空部（１４）と連通する貫通穴（１６、１０）を設け」ているのに対し、引用発明１は、そのような貫通穴を設けていない点。
（相違点５）
　本件特許発明１は、「軸受けハウジングの底面および端面を天体望遠鏡を構成する光学部材または支持部材の取り付け面とするとともに、そのための固定手段（ｔ１、ｔ２、ｔ３）を設け」ているのに対し、引用発明１は、そのような構成を有しない点。
（２）相違点についての判断 
（相違点１、２、３について）
　相違点１、２、３について検討する。
　引用発明２は、上記「第４．２．」のとおりであって、引用発明２における「ハウジング」は、その構造、機能からみて、本件特許発明１の「軸受けハウジング（５）」に相当する。
　また、引用発明２では、「極軸ユニットはステッピングモーターを採用したモータードライブを内蔵し、ウォームギアとステッピングモーターがハウジングに収められており、モーターは動力をウォームギアに伝えることで回転する軸の部分が回転」し、「回転する軸の部分はハウジングに軸支され」ていることから、本件特許発明１と同様に、「動力機構」が内蔵されており、「回転する軸の部分」は「内蔵した動力機構により軸受けハウジング（５）に軸支され」ているといえる。
　更に、引用発明２において、「回転する軸の部分はハウジングの天面から露出して」いるから、当該「回転する軸の部分」は、本件特許発明１と同様に、「上端面が軸受けハウジングの天面から露出する回転軸体（１）」あるいは「軸受けハウジング（５）の天面から露出する回転軸体（１）」であるといえる。
　してみると、引用発明２には、上記相違点１に係る本件特許発明１の「軸受けハウジング（５）」という発明特定事項、上記相違点２に係る本件特許発明１の、「回転軸体（１）」が「内蔵した動力機構により軸受けハウジング（５）に軸支される」という発明特定事項、上記相違点３に係る本件特許発明１の「上端面が軸受けハウジングの天面から露出する回転軸体（１）」及び「軸受けハウジング（５）の天面から露出する回転軸体（１）」という発明特定事項が示されている。
　また、引用発明１と引用発明２とは、天体望遠鏡の架台という共通の技術分野に属し、共に、軸体を回転させるという共通の機能を有するものであるから、引用発明１に引用発明２を適用することは、当業者が容易に想到し得たことである。
　したがって、 引用発明１に引用発明２を適用することで、相違点１、２、３に係る本件特許発明１の発明特定事項とすることは当業者が容易に想到し得たことである。
（相違点４について）
　相違点４について検討する。
　上記相違点４に係る本件特許発明１の発明特定事項は、「軸受けハウジング（５）の
底面および端面
端面
　引用発明３は上記「第４．３．」のとおりであって、固定ベース１２の端面に入力ポート１２ｂが形成され、ロボット旋回胴３０の中心部のユティリティ領域３８と入力ポート１２ｂとが連通しており、そうすると、ロボット旋回胴３０は中空部を有しており、「入力ポート１２ｂ」は、固定ベースの端面に設けられた、中空部に連通する貫通穴であるといえる。
　しかしながら、引用発明１は天体望遠鏡の赤道儀架台という技術分野に属し、引用発明３は回転軸部等の回転関節の技術分野に属するものであり、両発明は発明の属する技術分野が異なる。
　加えて、上記「軸受けハウジング（５）の端面に中空部（１４）と連通する貫通穴（１６、１０）を設け」た点を得るには、まず、引用発明１に引用発明２を適用して「軸受けハウジング」の構成を得た上で、引用発明３を適用しなければならず、所謂後付けの論理とならざるを得ない。
　また、引用発明２、４〜６をみても「軸受けハウジング（５）の端面に中空部（１４）と連通する貫通穴（１６、１０）を設け」た点は開示されておらず、この点が、当業者にとって設計的事項とする根拠もない。
　したがって、「軸受けハウジング（５）の端面に中空部（１４）と連通する貫通穴（１６、１０）を設け」た点は、当業者が容易に想到し得たこととはいえないから、引用発明１において、上記相違点４に係る本件特許発明１の発明特定事項を備えるものとすることについて、当業者が容易に想到し得たこととはいえない。
　したがって、上記相違点５を検討するまでもなく、本件特許発明１は、引用発明１〜６に基づいて、当業者が容易に発明をすることができたものとすることはできない。
２．本件特許発明２〜５について
　本件特許発明２は、「第２．」のとおりであり、「２つの回転軸ユニット（Ｘ、Ｙ）」それぞれの構成は、本件特許発明１における「組み替え式天体望遠鏡の回転軸ユニット」と同様であるから、上記「第５．１．」と同様の理由により、引用発明１〜６に基づいて、当業者が容易に想到し得たものとはいえない。
　本件特許発明３は、本件特許発明２の発明特定事項に加えて、さらなる発明特定事項を追加して限定を付したものであるから、本件特許発明２と同様に、当業者が容易に想到し得たものとはいえない。
　本件特許発明４は、本件特許発明２または３の発明特定事項に加えて、さらなる発明特定事項を追加して限定を付したものであるから、本件特許発明２または３と同様に、当業者が容易に想到し得たものとはいえない。
　本件特許発明５は、本件特許発明４の発明特定事項に加えて、さらなる発明特定事項を追加して限定を付したものであるから、本件特許発明４と同様に、当業者が容易に想到し得たものとはいえない。
第６．むすび
　以上のとおりであるから、特許異議申立ての理由、及び証拠によっては、請求項１〜５に係る特許は、取り消すことができない。
　また、他に請求項１〜５に係る特許を取り消すべき理由を発見しない。
　よって、結論のとおり決定する。
【異議決定日】
平成３０年５月１７日（２０１８．５．１７）